(57)【要約】      （修正有）【課題】元竿管と元上竿管との周方向の位置合わせを容易に行え、伸び位置および縮み位置での元上竿管の周方向の変位を防止できる釣竿を得る。【解決手段】釣竿1は元竿管2と元上竿管3から成る。元上竿管3は伸び位置と縮み位置との間で移動可能に元竿管2に継ぎ合わされ、元上竿管3を元竿管2に対して軸方向に伸縮させることで釣竿1の長さ調整ができる。元竿管2はその先端部の内周面に凸部11を有する。元上竿管3は誘導部20,25と規制部21,26を有する。誘導部20,25は元上竿管3を伸び位置および縮み位置の少なくともいずれか一方に移動させた時に、凸部11に摺動可能に接することで元上竿管3を周方向に回転させて元上竿管3を元竿管2の周方向の所定位置に向けて誘導する。規制部21,26は誘導部20,25の終端から元上竿管3の軸方向に延長され、凸部11が嵌合することで元竿管2に対する元上竿管3の周方向への変位を制限する。【選択図】図４
2009153493.tif 000002
【特許請求の範囲】
【請求項１】
元竿管と、
上記元竿管から引き出される伸び位置と、上記元竿管の内側に引き込まれる縮み位置との間で軸方向に移動可能に上記元竿管に継ぎ合わされるとともに、上記元竿管の周方向に変位可能な元上竿管と、を具備し、
上記元上竿管を上記元竿管に対して軸方向に移動させることで、長さ調整が可能な釣竿であって、
上記元竿管は、その先端部の内周面に凸部を有し、
上記元上竿管は、上記伸び位置および上記縮み位置のうちの少なくともいずれか一方に移動させる時に、上記凸部に摺動可能に接することで上記元上竿管を周方向に回転させて上記元竿管の周方向の所定位置に向けて誘導する誘導部と、この誘導部の終端から上記元上竿管の軸方向に延長され、上記凸部が嵌合することで上記元竿管に対する上記元上竿管の周方向への変位を制限する規制部と、を備えていることを特徴とする釣竿。
【請求項２】
請求項１の記載において、上記元竿管は、上記先端部に筒体を有し、この筒体の内周面に上記凸部が形成されているとともに、上記凸部は上記筒体の軸方向に直線状に延びていることを特徴とする釣竿。
【請求項３】
請求項２の記載において、上記元上竿管は、その外周に同軸状に位置する第１および第２の円筒部を有し、上記第１の円筒部は、上記元上竿管が上記伸び位置に移動した時に上記筒体の内側に位置するとともに、上記第２の円筒部は、上記元上竿管が上記縮み位置に移動した時に上記筒体の内側に位置し、これら第１および第２の円筒部に上記誘導部および上記規制部が夫々形成されていることを特徴とする釣竿。
【請求項４】
請求項３の記載において、上記誘導部は、上記第１および第２の円筒部の開口端に形成された一対のカム面を有し、これらカム面は、上記元上竿管の外周面上に位置するとともに、上記第１および第２の円筒部の軸方向に進むに従い互いに近づく方向に傾斜するように形成され、これらカム面に上記筒体の凸部が摺動可能に接触することを特徴とする釣竿。
【請求項５】
請求項４の記載において、上記規制部は、上記凸部が嵌合するスリットを含み、このスリットは、上記第１および上記第２の円筒部の軸方向に延びるとともに、このスリットの一端が上記カム面の間に開口されていることを特徴とする釣竿。
【発明の詳細な説明】
【技術分野】
【０００１】
本発明は、伸び縮みが可能な元上竿管を有する釣竿に係り、特に元上竿管が伸び位置および縮み位置に移動された時に、元上竿管の周方向への変位を制限するための構造に関する。
【背景技術】
【０００２】
実際に釣りをしている時の状況に応じて元竿の長さを調整可能とした釣竿が知られている。この種の釣竿の元竿は、例えば特許文献１に開示されているように、リールを固定する竿元部と、この竿元部に対して伸び縮みが可能な可動竿先部とを有している。可動竿先部は、竿元部から最も引き出される伸び位置と、竿元部の内側に引き込まれる縮み位置との間で軸方向に移動可能であるとともに、伸縮動作を円滑に行えるように周方向にも変位可能に竿元部に継ぎ合わされている。
【０００３】
可動竿先部を伸び位置に移動させた時に、可動竿先部が周方向に動いてしまうと、例えば可動竿先部に継ぎ合わされた竿管に釣糸ガイドが取り付けられている場合に、釣糸ガイドが可動竿先部の周方向に変位する。この結果、リールから繰り出された釣糸が捩じれたり、釣糸ガイドの機能が損なわれることがあり得る。
【０００４】
このことから、特許文献１に開示された釣竿では、可動竿先部が伸び位置あるいは縮み位置に移動された時に、可動竿先部と元竿部の周方向の位置合わせを実行する手段が付設されている。
【０００５】
具体的に述べると、竿元部の竿先側の先端に案内筒が連結されている。案内筒は、竿元部の先端から同軸状に突出しており、この案内筒の内周面に円盤状の突起が形成されている。
【０００６】
可動竿先部は、その軸方向に沿う両端外周に同軸状に固定された段差筒を備えている。竿元側の段差筒は、可動竿先部を伸び位置に移動させた時に案内筒の内側に位置し、竿先側の段差筒は、可動竿先部を縮み位置に移動させた時に案内筒の内側に位置するようになっている。
【０００７】
竿元側の段差筒は、その竿先側の端面が円筒を斜めに切断した楕円形状をなしている。同様に、竿先側の段差筒は、その竿元側の端面が円筒を斜めに切断した楕円形状をなしている。各段差筒の端面の一部に、一対の案内段差部が形成されている。案内段差部は、段差筒の軸方向に進むに従い互いに近づく方向に傾斜されて、可動竿先部の外周に略くさび状の案内部を形成している。案内部のうち案内段差部の幅が最も狭まった部分に係合部が形成されている。係合部は、案内部の終端に位置するとともに、上記案内筒の突起が入り込めるように円弧状に湾曲している。
【０００８】
竿元部から可動竿先部を引き出すと、竿元側の段差筒が案内筒の内側に移動する。この移動により、段差筒のいずれかの案内段差部が突起の周面に接触する。可動竿先部を竿元部からさらに引き出していくと、案内段差部が突起に沿って移動する。案内段差部は、可動竿先部の軸線に対し傾斜しているので、案内段差部と突起との接触部分に可動竿先部を周方向に回転させようとする力が生じる。
【０００９】
この結果、可動竿先部は、周方向に回転しつつ竿元部から引き出される。可動竿先部が伸び位置に達すると、可動竿先部の係合部が突起の位置まで移動して、これら係合部と突起とが互いに係合する。これにより、可動竿先部の引き出しが制限されるとともに、可動竿先部はそれ以上回転することができなくなる。よって、可動竿先部と元竿部の周方向の位置合わせが実行される。
【００１０】
可動竿先部を竿元部の内側に引き込むと、竿元側の段差筒が案内筒から離脱するとともに、竿先側の段差筒が案内筒の内側に移動する。これにより、可動竿先部を引き出す時と同様に、案内段差部が突起に沿って移動するとともに、可動竿先部が縮み位置に達した時点で係合部と突起とが互いに係合する。そのため、可動竿先部の引き込みが制限されるとともに、可動竿先部はそれ以上回転することができなくなり、可動竿先部と元竿部の周方向の位置合わせが実行される。
【特許文献１】特開平７−３２７５５１号公報
【発明の開示】
【発明が解決しようとする課題】
【００１１】
特許文献１に開示された釣竿によると、可動竿先部が伸び位置あるいは縮み位置に移動された状態では、竿元部の突起が案内部の谷間に位置する係合部に入り込んでいる。
【００１２】
言い換えると、案内部を規定する一対の案内段差部は、係合部から遠ざかるに従い互いに離間する方向に傾斜している。そのため、例えば可動竿先部が伸び位置又は縮み位置にある時に、可動竿先部と竿元部とを相対的に周方向に変位させようとする外力が釣竿に加わると、突起が係合部から案内段差部に容易に乗り移るとともに、案内段差部の傾斜に沿って移動し易くなる。
【００１３】
この結果、係合部と突起との係合力が不足気味となって、可動竿先部を伸び位置および縮み位置に確実に保持することができず、可動竿先部が周方向に変位するのを否めない。よって、実際に釣をしている時に、可動竿先部が周方向にずれることがあり、釣竿の操作性に悪影響を及ぼす不具合がある。
【００１４】
本発明の目的は、元上竿管を伸び位置又は縮み位置に移動させた時に、元竿管と元上竿管との間の周方向の位置合わせを容易に行えるとともに、伸び位置又は縮み位置での元上竿管の周方向の変位を確実に防止でき、使い易い釣竿を得ることにある。
【課題を解決するための手段】
【００１５】
上記目的を達成するため、本発明の一つの形態に係る釣竿は、  
元竿管と、  
上記元竿管から引き出される伸び位置と、上記元竿管の内側に引き込まれる縮み位置との間で軸方向に移動可能に上記元竿管に継ぎ合わされるとともに、上記元竿管の周方向に変位可能な元上竿管と、を備えている。  
上記元竿管は、その先端部の内周面に凸部を有し、上記元上竿管は、上記伸び位置および上記縮み位置のうちの少なくともいずれか一方に移動させる時に、上記凸部に摺動可能に接することで上記元上竿管を周方向に回転させて上記元竿管の周方向の所定位置に向けて誘導する誘導部と、この誘導部の終端から上記元上竿管の軸方向に延長され、上記凸部が嵌合することで上記元竿管に対する上記元上竿管の周方向への変位を制限する規制部と、を備えていることを特徴としている。
【発明の効果】
【００１６】
本発明によれば、元上竿管を伸び位置又は縮み位置に移動させた時の元竿管と元上竿管との間の周方向の位置合わせを容易に行えるとともに、伸び位置又は縮み位置での元上竿管の周方向の変位を確実に防止することができる。
【発明を実施するための最良の形態】
【００１７】
以下本発明の実施の形態を図１ないし図８に基づいて説明する。
【００１８】
図１および図２は、例えば磯竿のような中通し釣竿１を開示している。本実施の形態の中通し釣竿１は、元竿管２、元上竿管３および穂先竿管４を互いに継ぎ合わすことで構成されている。元竿管２、元上竿管３および穂先竿管４は、例えば強化繊維に合成樹脂材料を含浸させた繊維強化プリプレグを用いて円筒状に形成されており、夫々可撓性を有している。
【００１９】
本発明において、中通し釣竿１は磯竿に特定されるものではなく、例えばルアーロッド、船竿又は餌木竿であってもよい。
【００２０】
元竿管２は、竿尻側から順に尻栓５、第１のグリップ６、リールを固定するリールシート７および第２のグリップ８を備えている。図３および図７に示すように、第２のグリップ８の竿先側の先端部に円筒状の筒体１０が取り付けられている。筒体１０は、小径部１０ａと大径部１０ｂとを有している。小径部１０ａは、第２のグリップ８の内側に嵌め込まれている。大径部１０ｂは、小径部１０ａと同軸状をなすとともに、第２のグリップ８の先端部から元竿管２の外に突出している。大径部１０ｂの外周面は、第２のグリップ８の外周面に連続している。
【００２１】
さらに、筒体１０の内径は、小径部１０ａから大径部１０ｂにかけて一定となっている。筒体１０の内周面に凸部１１が形成されている。凸部１１は、筒体１０の軸方向に沿って一直線状に延びているとともに、筒体１０の全長に亘っている。
【００２２】
元上竿管３は、元竿管２に伸び縮み可能に継ぎ合わされている。元上竿管３の外周面に釣糸導入ガイド１２が取り付けられている。釣糸導入ガイド１２は、リールから繰り出された釣糸を図示しない釣糸導入孔を介して元上竿管３の内側に導くためのものであり、元上竿管３の竿先側の端部に位置している。
【００２３】
元上竿管３の外径は、筒体１０の内径よりも小さい。筒体１０の内面から突出する凸部１１の高さは、元上竿管３の外周面に接しない程度に設定に設定されている。元上竿管３は、筒体１０を貫通して元竿管２の内側に挿入されている。
【００２４】
元上竿管３は、元竿管２から最大に引き出される伸び位置と、元竿管２の内側に引き込まれる縮み位置との間で軸方向に移動可能に元竿管２に継ぎ合わされている。さらに、元上竿管３は、伸縮動作を円滑に行えるように、元竿管２に対し周方向に回転可能に継ぎ合わされている。
【００２５】
元上竿管３の竿尻側の開口端部に栓体１４が取り付けられている。栓体１４は、例えばナイロンのような合成樹脂材料により円柱状に形成されている。栓体１４は、元上竿管３の竿尻側の開口端部に同軸状に連結されて、元竿管２の内側に位置している。
【００２６】
栓体１４は、元上竿管３を伸び位置および縮み位置に移動させた時に、元竿管２の内周面に形成されたテーパ部（図示せず）に所定の締め代で嵌まり込む。これにより、元竿管２と元上竿管３とが同時状に結合されるとともに、元上竿管３が伸び位置および縮み位置に保持される。
【００２７】
元上竿管３の外周面に第１および第２のストッパ筒１６，１７が同軸状に固定されている。第１および第２のストッパ筒１６，１７は、第１および第２の円筒部の一例であり、夫々中空の円筒状をなしている。
【００２８】
第１のストッパ筒１６は、栓体１４と隣り合うように元上竿管３の竿尻側の端部に位置している。第１のストッパ１６は、元上竿管３が図４および図６に示す伸び位置に移動した時に、筒体１０の内側に入り込むようになっている。
【００２９】
第２のストッパ筒１７は、第１のストッパ筒１６よりも元上竿管３の竿先の方向に離れた箇所に位置している。第２のストッパ筒１７は、元上竿管３が図３および図５に示す縮み位置に移動した時に、筒体１０の内側に入り込むようになっている。
【００３０】
第１のストッパ筒１６は、誘導部２０と規制部２１とを備えている。誘導部２０は、元上竿管３を伸び位置に移動させる時に、元上竿管３を周方向に回転させることで、この元上竿管３を元竿管２の周方向の所定位置に向けて誘導するためのものである。
【００３１】
誘導部２０は、第１のストッパ筒１６の竿先側の開口端に位置している。第１のストッパ筒１６の竿先側の開口端は、円筒を斜めに切断した楕円形状をなしている。
【００３２】
誘導部２０は、一対のカム面２２ａ，２２ｂを有している。カム面２２ａ，２２ｂは、元上竿管３の外周面上に位置するとともに、第１のストッパ筒１６の竿先側の開口端の形状に対応するように、第１のストッパ筒１６の竿先側から竿尻側に進むに従い互いに近づく方向に傾斜している。この傾斜により、カム面２２ａ，２２ｂの終端は、元上竿管３の外周面上で向かい合っている。
【００３３】
そのため、カム面２２ａ，２２ｂは、第１のストッパ筒１６の軸線に対して互いに逆向きに傾斜しており、これらカム面２２ａ，２２ｂに筒体１０から突出する凸部１１の竿尻側の端部が接するようになっている。
【００３４】
第１のストッパ筒１６の規制部２１は、元上竿管３が伸び位置に達した時に、元竿管２に対する元上竿管３の周方向の変位を制限するためのものである。規制部２１は、筒体１０の凸部１１が摺動可能に嵌合するスリット２３を含んでいる。スリット２３は、第１のストッパ筒１６の軸方向に沿って直線状に延びている。スリット２３の一端は、カム面２２ａ，２２ｂの終端の間に開口している。このため、スリット２３は、カム面２２ａ，２２ｂの終端の間から元上竿管３の軸方向に延びている。
【００３５】
第２のストッパ筒１７は、誘導部２５と規制部２６とを備えている。誘導部２５は、元上竿管３を縮み位置に移動させる時に、元上竿管３を周方向に回転させることで、この元上竿管３を元竿管２の周方向の所定位置に向けて誘導するためのものである。
【００３６】
誘導部２５は、第１のストッパ筒１６の誘導部２０と対称となるように、第２のストッパ筒１７の竿尻側の開口端に位置している。第２のストッパ筒１７の竿尻側の開口端は、円筒を斜めに切断した楕円形状をなしている。
【００３７】
誘導部２５は、一対のカム面２７ａ，２７ｂを有している。カム面２７ａ，２７ｂは、元上竿管３の外周面上に位置するとともに、第２のストッパ筒１７の竿尻側の開口端の形状に対応するように、第２のストッパ筒１７の竿尻側から竿先側に進むに従い互いに近づく方向に傾斜している。この傾斜により、カム面２７ａ，２７ｂの終端は、元上竿管３の外周面上で向かい合っている。
【００３８】
そのため、カム面２７ａ，２７ｂは、第２のストッパ筒１７の軸線に対して互いに逆向きに傾斜しており、これらカム面２７ａ，２７ｂに筒体１０から突出する凸部１１の竿先側の端部が接するようになっている。
【００３９】
第２のストッパ筒１７の規制部２６は、元上竿管３が縮み位置に達した時に、元竿管２に対する元上竿管３の周方向の変位を制限するためのものである。規制部２６は、筒体１０の凸部１１が摺動可能に嵌合するスリット２８を含んでいる。スリット２８は、第２のストッパ筒１７の軸方向に沿って直線状に延びている。スリット２８の一端は、カム面２７ａ，２７ｂの終端の間に開口している。このため、スリット２８は、カム面２７ａ，２７ｂの終端の間から元上竿管３の軸方向に延びている。
【００４０】
図４および図６に示すように、元竿管２から元上竿管３を引き出すと、元上竿管３の竿尻側に位置する第１のストッパ筒１６が筒体１０の内側に入り込むように移動する。この移動により、第１のストッパ筒１６のカム面２２ａ又は２２ｂが筒体１０の内周面から突出する凸部１１の竿尻側の端部に接触する。
【００４１】
元上竿管３を元竿管２からさらに引き出していくと、カム面２２ａ又は２２ｂが凸部１１の端部に沿って移動する。カム面２２ａ，２２ｂは、第１のストッパ筒１６の軸線に対して傾斜しているので、凸部１１とカム面２２ａ又は２２ｂとの接触部分に第１のストッパ筒１６を周方向に回転させようとする力が生じる。この結果、元上竿管３は、周方向に回転しつつ元竿管２から引き出されていく。
【００４２】
元上竿管３が伸び位置に達すると、栓体１４が元竿管２の内周面のテーパ部に食い込み、元上竿管３の軸方向の移動が制限される。それとともに、筒体１０の凸部１１がカム面２２ａ，２２ｂの終端の間から第１のストッパ筒１６のスリット２３に入り込んで、このスリット２３に摺動可能に嵌合する。この嵌合により、元上竿管３はそれ以上回転することができなくなり、元竿管２と元上竿管３との周方向の位置決めが実行される。
【００４３】
一方、図３および図５に示すように、伸び位置にある元上竿管３を縮み位置に向けて元竿管２内に引き込んでいくと、第１のストッパ筒１６が筒体１０から離脱するとともに、その代わりに元上竿管３の竿先側に位置する第２のストッパ筒１７が筒体１０の内側に入り込むように移動する。この移動により、第２のストッパ筒１７のカム面２７ａ又は２７ｂが凸部１１の竿先側の端部に接触する。
【００４４】
元上竿管３をさらに元竿管２内に引き込んでいくと、カム面２７ａ又は２７ｂが凸部１１の端部に沿って移動する。カム面２７ａ，２７ｂは、第２のストッパ筒１７の軸線に対し傾斜しているので、凸部１１とカム面２７ａ又は２７ｂとの接触部分に第２のストッパ筒１７を周方向に回転させようとする力が生じる。この結果、元上竿管３は、周方向に回転しつつ元竿管２内に引き込まれていく。
【００４５】
元上竿管３が縮み位置に達すると、栓体１４が元竿管２の内周面のテーパ部に食い込み、元上竿管３の軸方向に移動が制限される。それとともに、筒体１０の凸部１１がカム面２７ａ，２７ｂの終端の間から第２のストッパ筒１７のスリット２８に入り込んで、このスリット２８に摺動可能に嵌合する。この嵌合により、元上竿管３はそれ以上回転することができなくなり、元竿管２と元上竿管３との周方向の位置決めが実行される。
【００４６】
このような構成の中通し釣竿１によれば、元上竿管３を軸方向に移動させると、元上竿管３が凸部１１と誘導部２０，２５との接触に基づいて自動的に周方向に回転し、元竿管２の周方向の所定位置に向けて誘導される。
【００４７】
そのため、単に元上竿管３を伸び位置或いは縮み位置に移動させるだけの作業で、元上竿管３と元竿管２との周方向の位置合わせを実行できる。したがって、実際に釣りをしている最中に、中通し釣竿１の長さ調整を行う必要が生じた場合でも、元竿管２に対する元上竿管３の周方向の位置を確認したり調整する作業が不要となり、釣りに集中することができる。
【００４８】
さらに、元上竿管３が伸び位置および縮み位置に達した状態では、筒体１０の凸部１１が第１および第２のストッパ筒１６，１７のスリット２３，２８に嵌合する。スリット２３，２８は、カム面２２ａ，２２ｂ，２７ａ，２７ｂの終端から第１および第２のストッパ筒１６，１７の軸方向に延びている。
【００４９】
このため、例えば中通し釣竿１を操作している時に、元竿管２と元上竿管３とを周方向に相対的に変位させようとする力が中通し釣竿１に加わったとしても、この外力の作用方向に対してスリット２３，２８が略直交するような位置関係となって、凸部１１がスリット２３，２８から外れ難くなる。
【００５０】
したがって、伸び位置および縮み位置での元上竿管３の保持力が向上し、元上竿管３の周方向の変位を確実に防止することができる。よって、中通し釣竿１の操作性が向上し、釣人は、元上竿管３の周方向の変位を気にすることなく釣りに集中できるといった利点がある。
【００５１】
なお、本発明は上記実施の形態に特定されるものではなく、発明の主旨を逸脱しない範囲内で種々変形して実施可能である。
【００５２】
例えば、上記実施の形態では、元上竿管の軸方向に離間した二箇所にストッパ筒を固定し、元上竿管が伸び位置および縮み位置の双方に移動された時の元上竿管の周方向の変位を制限している。しかしながら、本発明はこれに限らず、ストッパ筒を一つとして、元上竿管が伸び位置又は縮み位置のいずれかに移動された時の元上竿管の周方向の変位を制限するようにしてもよい。
【００５３】
加えて、上記実施の形態では、元上竿管の外周上にストッパ筒を固定するようにしたが、ストッパ筒を元上竿管と一体に形成してもよい。
【００５４】
さらに、本発明に係る釣竿は、中通し釣竿に限らず、釣糸を竿管の外を通す形式の釣竿であっても同様に実施可能である。
【図面の簡単な説明】
【００５５】
【図１】本発明の実施の形態において、元上竿管を縮めた状態を示す釣竿の側面図。
【図２】本発明の実施の形態において、元上竿管を伸ばした状態を示す釣竿の側面図。
【図３】本発明の実施の形態において、元上竿管が縮み位置に移動した時の第２のストッパ筒と筒体との位置関係を示す斜視図。
【図４】本発明の実施の形態において、元上竿管が伸び位置に移動した時の第１のストッパ筒と筒体との位置関係を示す斜視図。
【図５】本発明の実施の形態において、元上竿管が縮み位置に移動した時の第２のストッパ筒と筒体との位置関係を示す断面図。
【図６】本発明の実施の形態において、元上竿管が伸び位置に移動した時の第１のストッパ筒と筒体との位置関係を示す断面図。
【図７】図５のF7-F7線に沿う断面図。
【図８】図５のF8-F8線に沿う断面図。
【符号の説明】
【００５６】
２…元竿管、３…元上竿管、１１…凸部、２０，２５…誘導部、２１，２６…規制部。
【図１】
2009153493.tif 000003
【図２】
2009153493.tif 000004
【図３】
2009153493.tif 000005
【図４】
2009153493.tif 000006
【図５】
2009153493.tif 000007
【図６】
2009153493.tif 000008
【図７】
2009153493.tif 000009
【図８】
2009153493.tif 000010